(57)【要約】【課題】入浴前後の浴室扉６の開閉時に、浴室３内の空気が浴室３外に漏れることを遮断し、住宅１が腐食及びカビの繁殖を抑制することのできる浴室空気遮断システムを提供することを目的とする。【解決手段】浴室扉６付近に空気を送り出す送風手段８を備えた浴室空気遮断装置７を設置し、浴室扉６付近に風のカーテンを作ることにより浴室３内の高温高湿の空気を浴室３外へ漏れることを遮断し、その漏れた高温高湿空気による室内結露を防ぐことができる。【選択図】図１
2007155227.tif 000002
【特許請求の範囲】
【請求項１】
入浴前後の浴室扉の開閉時に、浴室内の空気が外に漏れることを遮断する浴室空気遮断装置を備えた浴室空気遮断システム。
【請求項２】
空気を送り出す送風手段を備え、風のカーテンにより浴室内の空気を浴室外へ漏れることを遮断するようにした浴室空気遮断装置。
【請求項３】
送風手段により送風される空気の向きを自由に変更できる風向変更手段を備えたことを特徴とする請求項２記載の浴室空気遮断装置。
【請求項４】
送風手段により送風される空気を暖めることのできる加熱手段を備えたことを特徴とする請求項２または３に記載の浴室空気遮断装置。
【請求項５】
運転モードを選択できる運転選択手段を備えたことを特徴とする請求項２から４の何れかに記載の浴室空気遮断装置。
【請求項６】
浴室扉の開閉を検知する浴室扉開閉検知手段を備え浴室扉の開閉に連動して運転することを特徴とする請求項２から５の何れかに記載の浴室空気遮断装置。
【請求項７】
浴室外に漏れた空気を検知し、運転できる浴室空気漏れ検知手段を備えたことを特徴とする請求項２から６の何れかに記載の浴室空気遮断装置。
【請求項８】
浴室への人の入出を検知し、運転できる人入出検知手段を備えたことを特徴とする請求項２から７の何れかに記載の浴室空気遮断装置。
【請求項９】
浴室照明の入り切りを検知し、運転できる浴室照明入り切り検知手段を備えたことを特徴とする請求項２から８の何れかに記載の浴室空気遮断装置。
【請求項１０】
浴室扉に触れたことを検知し、運転できる浴室扉接触検知手段を備えたことを特徴とする請求項２から９の何れかに記載の浴室空気遮断装置。
【請求項１１】
浴室を換気する浴室換気装置の運転状態に連動することのできる浴室換気装置連動手段を備えたことを特徴とする請求項２から１０の何れかに記載の浴室空気遮断装置。
【請求項１２】
浴室を換気する浴室換気装置と一体となったことを特徴とする請求項２から１１の何れかに記載の浴室空気遮断装置。
【発明の詳細な説明】
【技術分野】
【０００１】
本発明は、入浴前後の浴室扉の開閉時に、浴室内の空気が外に漏れることを遮断する浴室空気遮断装置を備えた浴室空気遮断システム及び浴室空気遮断装置及び浴室空気遮断装置の制御方法に関するものである。
【背景技術】
【０００２】
住宅の寿命を延ばす目的で、各部屋への換気装置の設置が義務づけられていることからわかるように、住宅の寿命に対する関心は高まっていることは明らかである。住宅の寿命に対し、腐食及びカビ抑制として、湿度のコントロールが大きな要因の一つを占めており、特に浴室から出る湿気を浴室外へ漏れさせることなく適切に排気することは、重要な課題である。
【０００３】
従来より、浴室天井裏に浴室換気装置が設けられ、浴室換気装置内部のファンを駆動することにより、浴室内の空気を吸い込み屋外へ排気することにより、浴室内の換気を行っている（例えば、特許文献１参照）。
【特許文献１】特開２００５−３７１１０号公報
【発明の開示】
【発明が解決しようとする課題】
【０００４】
このような従来の浴室換気装置では、入浴前後の浴室扉の開閉により、浴室内の空気が浴室外に漏れ、住宅が腐食するおよびカビが繁殖するという課題がある。本発明は、このような従来の課題を解決するものであり、入浴前後の浴室扉の開閉により、浴室内の空気が浴室外に漏れることを遮断することができる浴室空気遮断装置を備えた浴室空気遮断システム及び浴室空気遮断装置を提供することを目的としている。
【課題を解決するための手段】
【０００５】
本発明の請求項１記載の浴室空気遮断システムは、上記目標を達成するため浴室遮断装置を備えることを特徴とする。そして、本発明によれば入浴前後の浴室扉の開閉により、浴室内の空気が浴室外に漏れることを遮断することができる浴室空気遮断システムが得られる。
【０００６】
また請求項２記載の発明は、空気を送り出す送風手段を備え、風のカーテンにより浴室内の空気を浴室外へ漏れることを遮断することを特徴とする。そして、本発明によれば入浴前後の浴室扉の開閉により、浴室内の高温高湿の空気が浴室外に漏れることを遮断することができる浴室空気遮断装置が得られる。
【０００７】
また請求項３記載の発明は、送風手段により送風される空気の向きを自由に変更できる風向変更手段を備えたことを特徴とする。そして、本発明によれば浴室周辺空間の違い、例えば、天井の高さや浴室空気遮断装置から浴室扉の距離、に対応して適切な場所に風のカーテンを作り、入浴前後の浴室扉の開閉により、浴室内の高温高湿の空気が浴室外に漏れることを遮断することができる浴室空気遮断装置が得られる。
【０００８】
また請求項４記載の発明は、送風手段により送風される空気を暖めることのできる加熱手段を備えたことを特徴とする。そして、本発明によれば浴室への入出時、使用者に冷風感を与えないことができる浴室空気遮断装置が得られる。
【０００９】
また請求項５記載の発明は、運転モードを選択できる運転選択手段を備えたことを特徴とする。そして、本発明によれば運転モードを任意に選択することができる浴室空気遮断装置が得られる。
【００１０】
また請求項６記載の発明は、浴室扉の開閉を検知する浴室扉開閉検知手段を備え浴室扉の開閉に連動して運転することを特徴とする。そして、本発明によれば使用者の意図的な操作なしに自動で、浴室扉の開閉に連動して運転することができる浴室空気遮断装置が得られる。
【００１１】
また請求項７記載の発明は、浴室外に漏れた空気を検知し、運転できる浴室空気漏れ検知手段を備えたことを特徴とする。そして、本発明によれば使用者の意図的な操作なしに自動で、浴室外に漏れた空気を検知し運転することができる浴室空気遮断装置が得られる。
【００１２】
また請求項８記載の発明は、浴室への人の入出を検知し、運転できる人入出検知手段を備えたことを特徴とする。そして、本発明によれば使用者の意図的な操作なしに自動で、浴室への人の入出を検知し運転することができる浴室空気遮断装置が得られる。
【００１３】
また請求項９記載の発明は、浴室照明の入り切りを検知し、運転できる浴室照明入り切り検知手段を備えたことを特徴とする。そして、本発明によれば使用者の意図的な操作なしに自動で、浴室照明の入り切りを検知し運転することができる浴室空気遮断装置が得られる。
【００１４】
また請求項１０記載の発明は、浴室扉に触れたことを検知し、運転できる浴室扉接触検知手段を備えたことを特徴とする。そして、本発明によれば使用者の意図的な操作なしに自動で、浴室扉に触れたことを検知し運転することができる浴室空気遮断装置が得られる。
【００１５】
また請求項１１記載の発明は、浴室を換気する浴室換気装置の運転状態に連動することのできる浴室換気装置連動手段を備えたことを特徴とする。そして、本発明によれば浴室換気装置と連動できることができる浴室空気遮断装置が得られる。
【００１６】
また請求項１２記載の発明は、浴室を換気する浴室換気装置と一体となったことを特徴とする。そして、本発明によれば浴室換気装置と浴室空気遮断装置を一体化し省スペースな浴室空気遮断システムを供給することができる浴室空気遮断装置が得られる。
【発明の効果】
【００１７】
本発明によれば浴室空気遮断装置を備えることにより浴室の高温高湿の空気が浴室外に漏れることを遮断することができ、浴室外に漏れた高温高湿空気による室内結露などが原因の住宅の腐食あるいはカビの繁殖を抑制できるという効果のある浴室空気遮断システムを提供できる。
【００１８】
また、空気を送り出す送風手段を備え、風のカーテンにより浴室内の高温高湿の空気が浴室外へ漏れることを遮断することにより、浴室外に漏れた高温高湿空気による室内結露などが原因の住宅の腐食あるいはカビの繁殖を抑制できるという効果のある浴室空気遮断システムを提供できる。
【００１９】
また、送風手段により送風される空気の向きを自由に変更できる風向変更手段を備えたことにより、浴室周辺空間の違い、例えば、天井の高さや浴室空気遮断装置から浴室扉の距離、に対応して適切な場所に風のカーテンを作り、浴室内の高温講師の空気が浴室外へ漏れることを遮断することにより、浴室外に漏れた高温高湿空気による室内結露などが原因の住宅の腐食あるいはカビの繁殖を抑制できるという効果のある浴室空気遮断システムを提供できる。
【００２０】
また、送風手段により送風される空気を暖めることのできる加熱手段を備えたことにより、浴室への入出時、使用者に冷風感を与えないで風のカーテンにより浴室内の空気が浴室外へ漏れることを遮断することにより、住宅が腐食するおよびカビが繁殖することを抑制できるという効果のある浴室空気遮断装置を提供できる。
【００２１】
また、運転モードを選択できる運転選択手段を備えたことにより、運転モードを任意に選択でき、風のカーテンにより浴室内の空気が浴室外へ漏れることを遮断することにより、住宅が腐食するおよびカビが繁殖することを抑制できるという効果のある浴室空気遮断装置を提供できる。
【００２２】
また、浴室扉の開閉を検知する浴室扉開閉検知手段を備えたことにより、浴室扉の開閉に連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという効果のある浴室空気遮断装置を提供できる。
【００２３】
また、浴室外に漏れた空気を検知し、運転できる浴室空気漏れ検知手段を備えたことにより、浴室空気の漏れに連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという効果のある浴室空気遮断装置を提供できる。
【００２４】
また、浴室への人の入出を検知し、運転できる人入出検知手段を備えたことにより、浴室への人の入出に連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという効果のある浴室空気遮断装置を提供できる。
【００２５】
また、浴室照明の入り切りを検知し、運転できる浴室照明入り切り検知手段を備えたことにより、浴室照明の入り切りに連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという効果のある浴室空気遮断装置を提供できる。
【００２６】
また、浴室扉に触れたことを検知し、運転できる浴室扉接触検知手段を備えたことにより、浴室扉への人の接触に連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという効果のある浴室空気遮断装置を提供できる。
【００２７】
また、浴室を換気する浴室換気装置の運転状態に連動することのできる浴室換気装置連動手段を備えたことにより、浴室の空気を遮断することと浴室を換気することを一連の動作にすることにより、より効果的に浴室内の空気を換気でき、住宅が腐食するおよびカビが繁殖することを抑制できるという効果のある浴室空気遮断装置を提供できる。
【００２８】
また、浴室を換気する浴室換気装置と一体となったことにより、浴室の空気を遮断することと浴室を換気することを一連の動作にすることにより、より効果的に浴室内の空気を換気でき、住宅が腐食するおよびカビが繁殖することを抑制できるという効果のある浴室空気遮断装置を提供できる。
【発明を実施するための最良の形態】
【００２９】
本発明の請求項１記載の発明は、浴室空気遮断装置を備えるものであり、入浴前後の浴室扉の開閉により、浴室内の高温高湿の空気が浴室外に漏れることを遮断し、その浴室外に漏れた高温高湿空気による室内結露などが原因の住宅の腐食あるいはカビの繁殖を抑制するという作用を有する。
【００３０】
また、空気を送り出す送風手段を備えたものであり、風のカーテンにより浴室内の高温高湿の空気が浴室外へ漏れることを遮断することにより、その浴室外に漏れた高温高湿空気による室内結露などが原因の住宅の腐食あるいはカビの繁殖を抑制するという作用を有する。
【００３１】
また、送風手段により送風される空気の向きを自由に変更できる風向変更手段を備えたものであり、浴室周辺空間の違い、例えば、天井の高さや浴室空気遮断装置から浴室扉の距離、に対応して適切な場所に風のカーテンを作り、浴室内の高温高湿の空気が浴室外へ漏れることを遮断することにより、その浴室外に漏れた高温高湿空気による室内結露などが原因の住宅の腐食あるいはカビの繁殖を抑制するという作用を有する。
【００３２】
また、送風手段により送風される空気を暖めることのできる加熱手段を備えたものであり、浴室への入出時、使用者に冷風感を与えないで風のカーテンにより浴室内の空気が浴室外へ漏れることを遮断することにより、住宅が腐食するおよびカビが繁殖することを抑制できるという作用を有する。
【００３３】
また、運転モードを選択できる運転選択手段を備えたものであり、運転モードを任意に選択でき、風のカーテンにより浴室内の空気が浴室外へ漏れることを遮断することにより、住宅が腐食するおよびカビが繁殖することを抑制できるという作用を有する。
【００３４】
また、浴室扉の開閉を検知する浴室扉開閉検知手段を備えたものであり、浴室扉の開閉に連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという作用を有する。
【００３５】
また、浴室外に漏れた空気を検知し、運転できる浴室空気漏れ検知手段を備えたものであり、浴室空気の漏れに連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという作用を有する。
【００３６】
また、浴室への人の入出を検知し、運転できる人入出検知手段を備えたものであり、浴室への人の入出に連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという作用を有する。
【００３７】
また、浴室照明の入り切りを検知し、運転できる浴室照明入り切り検知手段を備えたものであり、浴室照明の入り切りに連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという作用を有する。
【００３８】
また、浴室扉に触れたことを検知し、運転状態を変更できる浴室扉接触検知手段を備えたものであり、浴室扉への人の接触に連動して使用者の意図的な操作なしに自動に運転あるいは停止することができ、風のカーテンにより浴室内の空気が浴室外へ漏れることを遮断することにより、住宅が腐食するおよびカビが繁殖することを抑制できるという作用を有する。
【００３９】
また、浴室を換気する浴室換気装置の運転状態に連動することのできる浴室換気装置連動手段を備えたものであり、浴室の空気を遮断することと浴室を換気することを一連の動作にすることにより、より効果的に浴室内の空気を換気でき、住宅が腐食するおよびカビが繁殖することを抑制できるという作用を有する。
【００４０】
また、浴室を換気する浴室換気装置と一体となったものであり、浴室換気装置と浴室空気遮断装置を一体化し省スペースな浴室空気遮断システムを供給できるという作用を有する。
【００４１】
以下、本発明の実施の形態について図面を参照しながら説明する。
【００４２】
（実施の形態１）
以下、本発明の実施の形態１について図１を参照しながら説明する。
【００４３】
図１は本発明に関わる浴室空気遮断装置あるいは浴室空気遮断装置周辺の概略構成図である。図１に示すように、本浴室空気遮断装置７は住宅１内の脱衣室４の天井裏２に設置されている。浴室空気遮断装置７内部には送風手段８が設けられており、この送風手段８として、例えばファンとモーターを動作させることにより、吸い込み口９より矢印のように脱衣室４の空気を吸い込み、吹き出し口１０より、浴室扉６付近へ矢印のように空気を吹き出すことができる構成とする。
【００４４】
上記構成により、送風手段８を動作させ浴室扉６の下方まで届く風を送り出すことにより、浴室扉６付近に風のカーテンを作り、入浴前後の浴室扉６の開閉時に、浴室３内の高温高湿の空気が脱衣室４に漏れることを遮断することができる。これにより、その浴室外に漏れた高温高湿空気による室内結露などが原因の住宅の腐食あるいはカビの繁殖を抑制できることとなる。
【００４５】
（実施の形態２）
以下、本発明の実施の形態２について図２を参照しながら説明する。実施の形態１と同一部分は同一番号を附し、詳細な説明を省略する。
【００４６】
図２に示すように、図１の浴室空気遮断装置あるいは浴室空気遮断装置周辺の概略構成図より、浴室空気遮断装置７の吹き出し口１０付近に風向変更手段１１を設けられた構成とする。
【００４７】
上記構成により、送風手段８より送風された空気を風向変更手段１１として、例えばステッピングモーターにて駆動可能なルーバーを駆動させることにより、任意の向きへ風を送ることができ、施工上の都合で浴室扉６付近へ浴室空気遮断装置７を設置できなくても、浴室扉６付近へ風の向きを変えることにより、浴室扉６付近に風のカーテンを作り、入浴前後の浴室扉６の開閉時に、浴室３内の高温高湿の空気が脱衣室４に漏れることを遮断することができる。これにより、その浴室外に漏れた高温高湿空気による室内結露などが原因の住宅の腐食あるいはカビの繁殖を抑制できることとなる。送風手段８としては、送風できれば良く、例えばファンとモーター、あるいは送風機などがある。
【００４８】
（実施の形態３）
以下、本発明の実施の形態３について図３を参照しながら説明する。実施の形態１と同一部分は同一番号を附し、詳細な説明を省略する。
【００４９】
図３に示すように、図１の浴室空気遮断装置あるいは浴室空気遮断装置周辺の概略構成図より、浴室空気遮断装置７の吸い込み口９付近に加熱手段１２を設けられた構成とする。
【００５０】
上記構成により、送風手段８を動作させることにより吸い込み口９から吸い込まれた空気が加熱手段１２例えばＰＴＣヒーターにより暖められ、吹き出し口１０から浴室扉６付近へ送風されることにより、入浴者の体に直接風を受けても冷風感を与えない且つ、浴室扉６付近に風のカーテンを作り、入浴前後の浴室扉６の開閉時に、浴室３の空気が脱衣室４に漏れることを遮断することができる。送風手段８としては、送風できれば良く、例えばファンとモーター、あるいは送風機などがある。
【００５１】
本実施の形態３では吸い込み口９付近に加熱手段１２を設けたが、吹き出し口１０付近に加熱手段１２を設けても同様の効果が得られることは言うまでもない。また、加熱手段１２はハロゲンヒーターやカーボンヒーターあるいは温水コイルのような熱交換器であっても同様な効果が得られることは言うまでもない。
【００５２】
（実施の形態４）
以下、本発明の実施の形態４について図４を参照しながら説明する。実施の形態１と同一部分は同一番号を附し、詳細な説明を省略する。
【００５３】
図４に示すように、図１の浴室空気遮断装置あるいは浴室空気遮断装置周辺の概略構成図より、運転モードを任意に選択できる運転選択手段１３を設けた構成とする。
【００５４】
上記構成により、使用者が事前に運転選択手段１３により任意に運転モード例えば送風手段８のファンとモーターの能力の強及び弱切り替えを選択でき、すなわち、送風手段８のファンとモーターによる風量を強弱の２段階に切り替えることができ、使用者の意図通りに、浴室３の空気が脱衣室４に漏れることを遮断することができる。運転選択手段１３としては、送風手段８の風量を切り替えれば良く、例えば風量切り替えスイッチなどがある。
【００５５】
本実施の形態４では運転選択手段をワイヤードで記載しているが、ワイヤレスタイプであっても同様な効果が得られることは言うまでもない。
【００５６】
（実施の形態５）
以下、本発明の実施の形態５について図５を参照しながら説明する。
【００５７】
実施の形態１と同一部分は同一番号を附し、詳細な説明を省略する。
【００５８】
図５に示すように、図１の浴室空気遮断装置あるいは浴室空気遮断装置周辺の概略構成図より、浴室扉６付近に浴室扉開閉検知手段１４を設けられた構成とする。
【００５９】
上記構成により、入浴者が浴室扉６を開閉する操作を浴室扉開閉検知装置１４として、例えばホール素子が検知し、浴室扉６が開の場合浴室空気遮断装置７が運転し、浴室扉６が閉の場合は浴室空気遮断装置７が停止することにより、使用者の意図的な操作なしに自動に運転あるいは停止することができ且つ、浴室扉６付近に風のカーテンを作り、入浴前後の浴室扉６の開閉時に、浴室３の空気が脱衣室４に漏れることを遮断することができる。
【００６０】
（実施の形態６）
以下、本発明の実施の形態６について図６を参照しながら説明する。
【００６１】
実施の形態１と同一部分は同一番号を附し、詳細な説明を省略する。
【００６２】
図６に示すように、図１の浴室空気遮断装置あるいは浴室空気遮断装置周辺の概略構成図より、脱衣室４に浴室空気漏れ検知手段１５を設けられた構成とする。
【００６３】
上記構成により、浴室３の空気が脱衣室４へ漏れたことを浴室空気漏れ検知手段１５として、例えば高分子センサーである湿度センサーが検知し、湿度が１０秒間に１０％以上上昇した場合は浴室３の空気が脱衣室４に漏れたとして浴室空気遮断装置７を運転し、湿度が１分間以上±１０％以内の変化量であった場合、浴室３の空気が脱衣室４に漏れていないとして浴室空気遮断装置７を停止することにより、使用者の意図的な操作なしに自動に運転あるいは停止することができ且つ、浴室扉６付近に風のカーテンを作り、入浴前後の浴室扉６の開閉時に、浴室３の空気が脱衣室４に漏れることを遮断することができる。
【００６４】
（実施の形態７）
以下、本発明の実施の形態７について図７を参照しながら説明する。
【００６５】
実施の形態１と同一部分は同一番号を附し、詳細な説明を省略する。
【００６６】
図７に示すように、図１の浴室空気遮断装置あるいは浴室空気遮断装置周辺の概略構成図より、浴室扉６付近に人入出検知手段１６を設けられた構成とする。
【００６７】
上記構成により、使用者が浴室扉６を通過したこと人入出検知手段１６として、例えば人感センサーが人を検知したら浴室扉６が開けられたと認識に運転し、人感センサーが人を検知しない場合は停止することにより、使用者の意図的な操作なしに自動に運転あるいは停止することができ且つ、浴室扉６付近に風のカーテンを作り、入浴前後の浴室扉６の開閉時に、浴室３の空気が脱衣室４に漏れることを遮断することができる。
【００６８】
（実施の形態８）
以下、本発明の実施の形態８について図８を参照しながら説明する。
【００６９】
実施の形態１と同一部分は同一番号を附し、詳細な説明を省略する。
【００７０】
図８に示すように、図１の浴室空気遮断装置あるいは浴室空気遮断装置周辺の概略構成図より、浴室３内に浴室照明入り切り検知手段１７を設けられた構成とする。
【００７１】
上記構成により、浴室照明入り切り検知手段１７として、例えば照度センサーにより使用者が浴室照明をＯＮまたはＯＦＦしたことを検知したとき時、浴室扉６が開閉されると認識し一定時間例えば１分間運転してから停止することにより、使用者の意図的な操作なしに自動に運転あるいは停止することができ且つ、浴室扉６付近に風のカーテンを作り、入浴前後の浴室扉６の開閉時に、浴室３の空気が脱衣室４に漏れることを遮断することができる。
【００７２】
（実施の形態９）
以下、本発明の実施の形態９について図９を参照しながら説明する。
【００７３】
実施の形態１と同一部分は同一番号を附し、詳細な説明を省略する。
【００７４】
図９に示すように、図１の浴室空気遮断装置あるいは浴室空気遮断装置周辺の概略構成図より、浴室扉６に浴室扉接触検知手段１８を設けられた構成とする。
【００７５】
上記構成より、浴室扉接触検知手段１８として、例えば人の皮膚の表面の静電気を検知し接触したことを検知する静電センサーにより、浴室扉６に人が触れた時、浴室扉が開閉されると認識し一定時間例えば１分間運転してから停止することにより、使用者の意図的な操作なしに自動に運転あるいは停止することができ且つ、浴室扉６付近に風のカーテンを作り、入浴前後の浴室扉６の開閉時に、浴室３の空気が脱衣室４に漏れることを遮断することができる。
【００７６】
（実施の形態１０）
以下、本発明の実施の形態１０について図１０を参照しながら説明する。
【００７７】
実施の形態１と同一部分は同一番号を附し、詳細な説明を省略する。
【００７８】
図１０に示すように、図１の浴室空気遮断装置あるいは浴室空気遮断装置周辺の概略構成図より、浴室３天井裏２に浴室換気装置１９が設けられ、それに連動するための通信線２１と浴室空気遮断装置７内部に浴室換気装置連動手段２０を設けられた構成とする。
【００７９】
上記構成により、浴室換気装置１９が換気運転している場合には、換気運転により浴室内が負圧となった状態で、浴室空気遮断装置７が運転するため、より確実に浴室内の高温高湿の空気が脱衣室側、室内側に漏れるのを防止でき、浴室換気装置１９が換気運転していない場合には浴室空気遮断装置７は停止することにより、浴室３内の空気が浴室外に漏れることを遮断しながら浴室３内の空気を換気することができ、より効率的及び確実に浴室３内の空気を換気でき、浴室３内の高温高湿の空気が脱衣室４に漏れることを遮断することができる。浴室換気装置連動手段２０としては、浴室換気装置１９と連動して浴室空気遮断装置が動作できれば良く、浴室換気装置１９と連動して、浴室空気遮断装置が動作ＯＮするスイッチなどがある。
【００８０】
（実施の形態１１）
以下、本発明の実施の形態１１について図１１を参照しながら説明する。
【００８１】
実施の形態１と同一部分は同一番号を附し、詳細な説明を省略する。
【００８２】
図１１に示すように、図１の浴室空気遮断装置あるいは浴室空気遮断装置周辺の概略構成図より、浴室空気遮断装置７の変わりに一体型浴室換気浴室空気遮断装置２２を設けられた構成とする。
【００８３】
上記構成により、浴室３の換気と浴室３の空気が脱衣室４へ漏れることを遮断することが１つの装置である一体型浴室換気浴室空気遮断装置２２のみで実現可能であり、実施の形態１０の図１０に示したような通信線２１を必要としない為、省スペースでより効率的及び確実に浴室３内の空気を換気でき、浴室３の空気が脱衣室４に漏れることを遮断することができる。
【図面の簡単な説明】
【００８４】
【図１】本発明の実施の形態１の浴室空気遮断装置あるいは浴室空気遮断装置周辺の構成を示す図
【図２】本発明の実施の形態２の浴室空気遮断装置あるいは浴室空気遮断装置周辺の構成を示す図
【図３】本発明の実施の形態３の浴室空気遮断装置あるいは浴室空気遮断装置周辺の構成を示す図
【図４】本発明の実施の形態４の浴室空気遮断装置あるいは浴室空気遮断装置周辺の構成を示す図
【図５】本発明の実施の形態５の浴室空気遮断装置あるいは浴室空気遮断装置周辺の構成を示す図
【図６】本発明の実施の形態６の浴室空気遮断装置あるいは浴室空気遮断装置周辺の構成を示す図
【図７】本発明の実施の形態７の浴室空気遮断装置あるいは浴室空気遮断装置周辺の構成を示す図
【図８】本発明の実施の形態８の浴室空気遮断装置あるいは浴室空気遮断装置周辺の構成を示す図
【図９】本発明の実施の形態９の浴室空気遮断装置あるいは浴室空気遮断装置周辺の構成を示す図
【図１０】本発明の実施の形態１０の浴室空気遮断装置あるいは浴室空気遮断装置周辺の構成を示す図
【図１１】本発明の実施の形態１１の浴室空気遮断装置あるいは浴室空気遮断装置周辺の構成を示す図
【符号の説明】
【００８５】
１    住宅
２    天井裏
３    浴室
４    脱衣室
５    その他住宅空間
６    浴室扉
８    送風手段
９    吸い込み口
１０  吹き出し口
１１  風向変更手段
１２  加熱手段
１３  運転選択手段
１４  浴室扉開閉検知手段
１５  浴室空気漏れ検知手段
１６  人入出検知手段
１７  浴室照明入り切り検知手段
１８  浴室扉接触検知手段
１９  浴室換気装置
２０  浴室換気装置連動手段
２１  通信線
２２  一体型浴室換気浴室空気遮断装置
【図１】
2007155227.tif 000003
【図２】
2007155227.tif 000004
【図３】
2007155227.tif 000005
【図４】
2007155227.tif 000006
【図５】
2007155227.tif 000007
【図６】
2007155227.tif 000008
【図７】
2007155227.tif 000009
【図８】
2007155227.tif 000010
【図９】
2007155227.tif 000011
【図１０】
2007155227.tif 000012
【図１１】
2007155227.tif 000013